(57)【要約】【課題】複数台のカメラで同期撮影を行う場合に、同期撮影の設定をより容易に行うことができる。【解決手段】撮像制御システム１００は、撮像制御装置１と、複数の撮像装置２とを備える。複数の撮像装置２は、同期撮影に参加する複数の撮像装置２の中の１台が親機の撮像装置２、他の撮像装置２が子機の撮像装置２となり、親機の撮像装置２は、同期撮影に参加する複数の撮像装置２間で撮影タイミングを同期させる制御を行う。撮像制御装置１は、ユーザからの指示内容を複数の撮像装置２に指示する制御を行う。【選択図】図３
2016066898.tif 000002
【特許請求の範囲】
【請求項１】
撮影操作を行う操作端末と、この操作端末からの指示に応じて同期した撮影を行う複数のカメラと、を備える同期撮影システムであって、
前記複数のカメラは、同期撮影に参加する複数のカメラの中の１台が親機カメラ、他のカメラが子機カメラとなり、
前記親機カメラは、同期撮影に参加する前記複数のカメラ間で撮影タイミングを同期させる制御を行い、
前記操作端末は、ユーザからの指示内容を前記複数のカメラに指示する制御を行う、
ことを特徴とする同期撮影システム。
【請求項２】
前記操作端末と、前記複数のカメラとを含む任意の機器間で無線通信を行う場合に、同期撮影に参加する前記複数のカメラの中の１台が無線通信のアクセスポイントとなり、この無線通信のアクセスポイントとなったカメラ以外の他のカメラと、前記操作端末とが無線通信のステーションとなる、
ことを特徴とする請求項１に記載の同期撮影システム。
【請求項３】
前記親機カメラがアクセスポイントとなり、前記操作端末および前記子機カメラがステーションとなる、
ことを特徴とする請求項２に記載の同期撮影システム。
【請求項４】
前記操作端末は、画面表示を行う表示手段を備え、
前記操作端末は、前記表示手段での画面表示において、同期撮影可能な前記複数のカメラの各々に対応する各カメラの識別情報を一覧表示し、同期撮影に参加させるカメラを選択する、
ことを特徴とする請求項１乃至３のいずれか１項に記載の同期撮影システム。
【請求項５】
前記操作端末は、前記表示手段での画面表示において、親機カメラと子機カメラとを識別して表示する、
ことを特徴とする請求項４に記載の同期撮影システム。
【請求項６】
前記操作端末は、前記表示手段での画面表示において、前記複数のカメラの各々の識別情報であるプロフィール画像を、予め決められた複数のプロフィール画像の中から選択、または、任意に選択した撮影画像から作成して登録したプロフィール画像の中から選択可能に表示する、
ことを特徴とする請求項４又は５に記載の同期撮影システム。
【請求項７】
前記操作端末は、前記表示手段での画面表示において、一覧表示されているプロフィール画像の選択により、選択されたプロフィール画像に対応するカメラのライブビュー画像を受信し、対応するプロフィール画像に代えて表示する、
ことを特徴とする請求項６に記載の同期撮影システム。
【請求項８】
前記操作端末からの指示で、個々のカメラ、または同期撮影に参加する全てのカメラに一括して撮影条件を設定する、
ことを特徴とする請求項１乃至７のいずれか１項に記載の同期撮影システム。
【請求項９】
前記操作端末からの指示で、前記子機カメラの撮影条件を、前記親機カメラの撮影条件に合わせるか、前記操作端末の操作でユーザが指定した撮影条件を複数のカメラに設定するかを選択する、
ことを特徴とする請求項１乃至７のいずれか１項に記載の同期撮影システム。
【請求項１０】
撮影操作を行う操作端末と、この操作端末からの指示に応じて、同期した撮影を行う複数のカメラからなる同期撮影システムであって、
撮影操作を行う前記操作端末と、この操作端末からの指示に応じて前記操作端末と前記複数のカメラとを含む任意の機器間で無線通信を行う場合に、同期撮影に参加する前記複数のカメラの中の１台が無線通信のアクセスポイントとなり、前記無線通信のアクセスポイントとなったカメラ以外の他のカメラと前記操作端末が無線通信のステーションとなる、
ことを特徴とする同期撮影システム。
【請求項１１】
前記操作端末は、画面表示を行う表示手段を備え、
前記カメラの各々は、無線ＬＡＮに接続する際に、接続可能なアクセスポイントを一覧表示して選択するアクセスポイント選択機能を有し、
前記操作端末は、前記表示手段での画面表示において、同期撮影モードが選択された場合には、最初にアクセスポイントとなるカメラを設定した後、ステーションとなるカメラがアクセスポイントを選択する際に、同期撮影に無関係の機器のアクセスポイントを選択肢として表示させないようにする、
ことを特徴とする請求項１０に記載の同期撮影システム。
【請求項１２】
前記複数のカメラのいずれかが前記操作端末の機能を兼用する、
ことを特徴とする請求項１乃至１１のいずれか１項に記載の同期撮影システム。
【請求項１３】
画面表示を行う表示手段と、
複数のカメラとの間で無線通信を行う無線通信手段と、
前記無線通信手段により前記複数のカメラの各々から識別情報を取得する取得手段と、
前記表示手段での画面表示において、前記取得手段により取得した各カメラの識別情報を一覧表示し、ユーザ操作に応じて同期撮影に参加させる複数のカメラを選択する選択手段と、
ユーザ操作に応じて前記無線通信手段により前記選択手段により選択された複数のカメラによる同期撮影の実行を指示する指示手段と、
を備えたことを特徴とする操作端末。
【請求項１４】
前記同期撮影に参加する複数のカメラの中の１台が親機カメラ、他のカメラが子機カメラとなり、
前記表示手段での画面表示において、親機カメラと子機カメラとを識別して表示する、
ことを特徴とする請求項１３に記載の操作端末。
【請求項１５】
前記表示手段での画面表示において、前記複数のカメラの各々の識別情報であるプロフィール画像を、予め決められた複数のプロフィール画像の中から選択、または、任意に選択した撮影画像から作成して登録したプロフィール画像の中から選択可能に表示する、
ことを特徴とする請求項１３または１４に記載の操作端末。
【請求項１６】
前記表示手段での画面表示において、一覧表示されているプロフィール画像の選択により、選択されたプロフィール画像に対応するカメラのライブビュー画像を受信し、対応するプロフィール画像に代えて表示する、
ことを特徴とする請求項１５に記載の操作端末。
【請求項１７】
ユーザ操作に応じて、前記無線通信手段により、個々のカメラ、または同期撮影に参加する全てのカメラに一括して撮影条件を設定する、
ことを特徴とする請求項１３乃至１６のいずれか１項に記載の操作端末。
【請求項１８】
撮影操作を行う操作端末と、この操作端末からの指示に応じて同期した撮影を行う複数のカメラと、を備える同期撮影システムで実行される同期撮影方法あって、
前記複数のカメラが同期撮影に参加する複数のカメラの中の１台を親機カメラ、他のカメラを子機カメラと設定する設定ステップと、
前記親機カメラにおいて、同期撮影に参加する前記複数のカメラ間で撮影タイミングを同期させる制御を行う同期制御ステップと、
前記操作端末において、ユーザからの指示内容を複数のカメラに指示する制御を行う指示制御ステップと、
を含むことを特徴とする同期撮影方法。
【請求項１９】
撮影操作を行う操作端末と、この操作端末からの指示に応じて同期した撮影を行う複数のカメラと、を備える同期撮影システムで実行される同期撮影システムを制御するコンピュータを、
前記複数のカメラが同期撮影に参加する複数のカメラの中の１台を親機カメラ、他のカメラを子機カメラと設定する設定機能と、
前記親機カメラにおいて、同期撮影に参加する前記複数のカメラ間で撮影タイミングを同期させる制御を行う同期制御機能と、
前記操作端末において、ユーザからの指示内容を複数のカメラに指示する制御を行う指示制御機能と、
として実行させることを特徴とするプログラム。
【請求項２０】
撮影操作を行う操作端末と、この操作端末からの指示に応じて、同期した撮影を行う複数のカメラからなる同期撮影システムで実行され得る同期撮影方法であって、
撮影操作を行う前記操作端末と、この操作端末からの指示に応じて前記操作端末と前記複数のカメラとを含む任意の機器間で無線通信を行う場合に、同期撮影に参加する前記複数のカメラの中の１台が無線通信のアクセスポイントとなり、前記無線通信のアクセスポイントとなったカメラ以外の他のカメラと前記操作端末が無線通信のステーションとなるように設定する設定ステップと、
を含むことを特徴とする同期撮影方法。
【請求項２１】
撮影操作を行う操作端末と、この操作端末からの指示に応じて、同期した撮影を行う複数のカメラからなる同期撮影システムを制御するコンピュータを、
撮影操作を行う前記操作端末と、この操作端末からの指示に応じて前記操作端末と前記複数のカメラとを含む任意の機器間で無線通信を行う場合に、同期撮影に参加する前記複数のカメラの中の１台が無線通信のアクセスポイントとなり、前記無線通信のアクセスポイントとなったカメラ以外の他のカメラと前記操作端末が無線通信のステーションとなるように設定する設定機能を実行させることを特徴とするプログラム。
【発明の詳細な説明】
【技術分野】
【０００１】
本発明は、同期撮影システム、操作端末、同期撮影方法及びプログラムに関する。
【背景技術】
【０００２】
従来、複数台のカメラで同期を取って撮影する同期撮影が行われている。このような同期撮影は、アングル切り替えや合成編集等を目的として、多視点に対応する複数のカメラによって撮影された画像を連動して再生させるために行われている。
特許文献１には、撮影の同期をとるために、ＧＰＳ信号に基づいて基準時刻を同期する撮像装置が開示されている。
【先行技術文献】
【特許文献】
【０００３】
【特許文献１】特開２０１３−２２５８２６号公報
【発明の概要】
【発明が解決しようとする課題】
【０００４】
しかしながら、従来の技術においては、同期撮影を行う場合、各カメラにおいて各種設定を行う必要があり、複数台のカメラによって同期撮影を行う上で、ユーザにおける操作が煩雑となる。
即ち、従来の技術においては、複数台のカメラで同期撮影を行う場合に、同期撮影の設定を容易に行うことが困難であった。このような問題は、同期撮影に用いるカメラの数が増加するほど顕著なものとなる。
【０００５】
本発明は、このような状況に鑑みてなされたものであり、複数台のカメラで同期撮影を行う場合に、同期撮影の設定をより容易に行うことを目的とする。
【課題を解決するための手段】
【０００６】
上記目的を達成するため、本発明の一態様の同期撮影システムは、
撮影操作を行う操作端末と、この操作端末からの指示に応じて同期した撮影を行う複数のカメラと、を備える同期撮影システムであって、
前記複数のカメラは、同期撮影に参加する複数のカメラの中の１台が親機カメラ、他のカメラが子機カメラとなり、
前記親機カメラは、同期撮影に参加する前記複数のカメラ間で撮影タイミングを同期させる制御を行い、
前記操作端末は、ユーザからの指示内容を前記複数のカメラに指示する制御を行う、
ことを特徴とする。
【発明の効果】
【０００７】
本発明によれば、複数台のカメラで同期撮影を行う場合に、同期撮影の設定をより容易に行うことができる。
【図面の簡単な説明】
【０００８】
【図１】本発明の一実施形態に係る撮像制御システムのシステム構成を示す概念図である。
【図２】本発明の一実施形態に係る撮像制御システムのハードウェアの構成を示すブロック図である。
【図３】図１及び図２の撮像制御システムの機能的構成のうち、撮像同期制御処理を実行するための機能的構成を示す機能ブロック図である。
【図４】図３の機能的構成を有する図１及び図２の撮像制御システムが実行する撮像同期制御処理の流れを説明するフローチャートである。
【図５】図３の機能的構成を有する図１及び図２の撮像制御システムが実行する撮像同期制御処理の流れのうち、撮像装置によるプロファイル設定処理の流れを説明するフローチャートである。
【図６】図３の機能的構成を有する図１及び図２の撮像制御システムが実行する撮像同期制御処理の流れのうち、撮像制御装置及び撮像装置による無線通信設定処理の流れを説明するフローチャートである。
【図７】撮像装置において無線通信設定処理後に表示される画面のイメージ図である。
【図８】図３の機能的構成を有する図１及び図２の撮像制御システムが実行する撮像同期制御処理において、の流れのうち、撮像制御装置によるカメラ選択処理の流れを説明するフローチャートである。
【図９】カメラ選択処理における撮像制御装置に表示される撮像装置の一覧表示のイメージ図である。
【図１０】カメラ選択処理における撮像制御装置に表示されるライブビュー画像の画面例のイメージ図である。
【図１１】図３の機能的構成を有する図１及び図２の撮像制御システムが実行する撮像同期制御処理の流れのうち、撮像制御装置及び撮像装置による撮影条件設定処理の流れを説明するフローチャートである。
【図１２】撮影条件設定処理における、撮影条件設定画面の受付画面例のイメージ図である。
【図１３】図３の機能的構成を有する図１及び図２の撮像制御システムが実行する撮像同期制御処理の流れのうち、撮像制御装置及び撮像装置による同期通信開始処理の流れを説明するフローチャートである。
【図１４】同期通信開始処理おいて、撮像装置に表示される画面例のイメージ図である。
【図１５】本発明の原理を説明する概念図である。
【図１６】図３の機能的構成を有する図１及び図２の撮像制御システムが実行する撮像同期制御処理の流れのうち、撮像制御装置及び撮像装置による空シャッタ処理の流れを説明するフローチャートである。
【図１７】図３の機能的構成を有する図１及び図２の撮像制御システムが実行する撮像同期制御処理の流れのうち、撮像制御装置及び撮像装置による本シャッタ処理の流れを説明するフローチャートである。
【図１８】図３の機能的構成を有する図１及び図２の撮像制御システムが実行する撮像同期制御処理の流れのうち、撮像制御装置及び撮像装置による撮影後処理の流れを説明するフローチャートである。
【図１９】図３の機能的構成を有する図１及び図２の撮像制御システムが実行する撮像同期制御処理の流れのうち、撮像制御装置及び撮像装置による画像表示処理の流れを説明するフローチャートである。
【発明を実施するための形態】
【０００９】
以下、本発明の実施形態について、図面を用いて説明する。
【００１０】
［システム構成］
図１は、本発明の一実施形態に係る撮像制御システム１００のシステム構成を示すシステム構成図である。
【００１１】
図１に示すように、撮像制御システム１００は、撮像制御装置１と、撮像装置２ａ〜２ｎとから構成される。撮像装置２ａ〜２ｎの構成は、基本的に同一であるため、以下単に「撮像装置２」と呼ぶことがある。
【００１２】
撮像制御装置１と撮像装置２とは、Ｗｉ−Ｆｉ（Ｗｉｒｅｌｅｓｓ  Ｆｉｄｅｌｉｔｙ）等の無線通信あるいはＵＳＢ（Ｕｎｉｖｅｒｓａｌ  Ｓｅｒｉａｌ  Ｂｕｓ）等の有線通信によって、相互に通信可能に構成される。
撮像装置２は、親機の撮像装置２と子機の撮像装置２とになるように設定される。
【００１３】
撮像制御装置１からの撮像開始信号は、撮像制御装置１から親機の撮像装置２に送信される。親機の撮像装置２が受信した撮像開始信号は、親機の撮像装置２から子機の撮像装置２に送信される。
以下、具体的な構成について説明する。
【００１４】
［ハードウェア構成］
図２は、本発明の一実施形態に係る撮像制御装置１及び撮像装置２のハードウェアの構成を示すブロック図である。撮像制御装置１は、例えばタブレット端末として構成され、撮像装置２は、例えば、デジタルカメラとして構成される。
【００１５】
撮像制御装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、センサ部１７と、入力部１８と、出力部１９と、記憶部２０と、通信部２１と、ドライブ２２と、を備えている。
撮像装置２は、ＣＰＵ（Ｃｅｎｔｒａｌ  Ｐｒｏｃｅｓｓｉｎｇ  Ｕｎｉｔ）３１と、ＲＯＭ（Ｒｅａｄ  Ｏｎｌｙ  Ｍｅｍｏｒｙ）３２と、ＲＡＭ（Ｒａｎｄｏｍ  Ａｃｃｅｓｓ  Ｍｅｍｏｒｙ）３３と、バス３４と、入出力インターフェース３５と、撮像部３６と、センサ部３７と、入力部３８と、出力部３９と、記憶部４０と、通信部４１と、ドライブ４２と、を備えている。
本実施形態において、撮像制御装置１及び撮像装置２は、それぞれ同様のハードウェア構成を有しているため、代表として、撮像制御装置１のハードウェア構成について説明する。なお、撮像装置２のハードウェア構成において、撮像制御装置１と同様の名称を有する部分は、同様の機能を備えている。
【００１６】
ＣＰＵ１１は、ＲＯＭ１２に記録されているプログラム、又は、記憶部２０からＲＡＭ１３にロードされたプログラムに従って各種の処理を実行する。例えば、ＣＰＵ１１は、後述する撮像同期制御処理のためのプログラムに従って、撮像同期制御処理を実行したりする。
【００１７】
ＲＡＭ１３には、ＣＰＵ１１が各種の処理を実行する上において必要なデータ等も適宜記憶される。
【００１８】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、センサ部１７、入力部１８、出力部１９、記憶部２０、通信部２１及びドライブ２２が接続されている。
【００１９】
撮像部１６は、図示はしないが、光学レンズ部と、イメージセンサと、を備えている。
【００２０】
光学レンズ部は、被写体を撮影するために、光を集光するレンズ、例えばフォーカスレンズやズームレンズ及び絞り部やシャッタ部等で構成される。
フォーカスレンズは、イメージセンサの受光面に被写体像を結像させるレンズである。ズームレンズは、焦点距離を一定の範囲で自在に変化させるレンズである。
光学レンズ部にはまた、焦点の設定パラメータを調整する周辺回路やレンズの位置を調整するためのＤＣモータ等の制御機構が設けられている。また、光学レンズ部には、必要に応じて、露出及びホワイトバランス等の設定パラメータを調整する周辺回路が設けられる。
被写体のズームの調整は、ＤＣモータがズームレンズの位置を動かすことにより焦点距離を変化させることにより、撮影対象の画角を変更させるようになっている。
【００２１】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
【００２２】
センサ部１７は、温度センサ、３軸加速度センサ及び地軸センサ等の各種センサを備えている。
【００２３】
入力部１８は、各種釦等で構成され、ユーザの指示操作に応じて各種情報や音声情報を入力する。
出力部１９は、ディスプレイやスピーカ等で構成され、画像や音声を出力する。
記憶部２０は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信を制御する。
【００２４】
ドライブ２２には、磁気ディスク、光ディスク、光磁気ディスク、あるいは半導体メモリ等よりなる、リムーバブルメディア３０が適宜装着される。ドライブ２２によってリムーバブルメディア３０から読み出されたプログラムは、必要に応じて記憶部２０にインストールされる。また、リムーバブルメディア３０は、記憶部２０に記憶されている画像のデータ等の各種データも、記憶部２０と同様に記憶することができる。
【００２５】
［機能的構成］
図３は、このような撮像制御システム１００の機能的構成のうち、撮像同期制御処理を実行するための機能的構成を示す機能ブロック図である。
撮像同期制御処理とは、複数の撮像装置２において、撮像開始信号を受信してから撮像までの機体間の誤差を調整して同期撮影を実現するように、撮像制御装置１により制御する一連の処理をいう。
【００２６】
撮像同期制御処理は、図３に示すように、撮像制御装置１のＣＰＵ１１において、無線通信設定処理部７１と、カメラ選択処理部７２と、撮影条件設定処理部７３と、同期通信開始処理部７４と、空シャッタ処理部７５と、本シャッタ処理部７６と、撮影後処理部７７と、画像表示処理部７８とが機能する。
また、撮像装置２のＣＰＵ３１において、プロファイル設定処理部９１と、無線通信設定処理部９２と、撮影条件設定処理部９３と、同期通信開始処理部９４と、空シャッタ処理部９５と、本シャッタ処理部９６とが機能する。
【００２７】
撮像制御装置１の無線通信設定処理部７１は、撮像装置２のうち、親機の撮像装置２と無線通信を行うための設定を受け付けて通信部２１を介して親機の撮像装置２と接続する。
【００２８】
撮像制御装置１のカメラ選択処理部７２は、同一ネットワークに存在する撮像装置２の中で、同期撮影に参加可能な（プロファイル画像設定処理及び無線通信設定処理が行われた）撮像装置２を一覧表示し、ユーザの選択を受けうけて、撮像同期制御処理を行う撮像装置２を登録する。
【００２９】
撮像制御装置１の撮影条件設定処理部７３は、各撮像装置２の撮影条件設定を取得して表示し、ユーザの撮影条件の設定を受け付ける。撮影条件設定処理部７３は、受け付けた撮影条件を親機の撮像装置２を介して各撮像装置２に送信する。
ここで、受け付ける撮影条件設定は、各撮像装置２毎に異なる設定値が設定される場合と、各撮像装置２に共通する撮影条件設定の値が設定される場合とがあってよい。撮影条件設定は、その撮影条件毎に、異なる設定値を定めることが許容されるものと、異なる設定値を定めることが許容されずに、共通する設定値が設定されるものがあってよい。なお、各撮像装置２に共通する設定値は、デフォルトでは親機の撮像装置２の設定値が反映されるようになっていてよい。
【００３０】
撮像制御装置１の同期通信開始処理部７４は、ＮＴＰ（Ｎｅｔｗｏｒｋ  Ｔｉｍｅ  Ｐｒｏｔｏｃｏｌ）の原理を利用し親機の撮像装置２に同期通信開始の指示を送信し、親機の撮像装置２に各撮像装置２の通信の伝播遅延に伴う時間差（タイムスタンプの時間差）を算出させるとともに、各撮像装置２の時刻合わせを行う。
なお、各撮像装置２の時刻合わせは、同期通信開始処理当初のみではなく、所定の間隔毎に定期的に行われてよい。定期的に時刻合わせを行う場合には、予定されていた画像のデータがすべて取得されるまで（本動作が行われるまで）、継続して行われてよい。
【００３１】
また、撮像制御装置１の同期通信開始処理部７４は、各撮像装置２のフォルダ構成の情報を取得して、各撮像装置２に共通するフォルダ名を決定し、各撮像装置２に共通する名称のフォルダを作成するようにフォルダの作成指示を送信する。
詳細には、撮像制御装置１の同期通信開始処理部７４は、異なる番号を含むフォルダ名またはファイル名により複数の撮影画像を識別して管理される複数の撮像装置２各々に対して、単独で撮影を行って撮影画像を記録する場合には、最後に記録した際に用いた番号に対して所定数を加えた番号を新たに記録する撮影画像のフォルダ名またはファイル名に付加して記録させる管理を行う。
撮像制御装置１の同期通信開始処理部７４は、前記複数のカメラで同期した撮影を行った場合には、複数のカメラの各々が最後に記録した際に用いた番号を取得し、この取得した複数の番号の中で最大の番号を特定する。
撮像制御装置１の同期通信開始処理部７４は、この特定した番号に対して所定数を加えた番号を、この同期した撮影により各カメラが撮影した画像を記録する際のフォルダ名またはファイル名に付加するように指示する。
具体的に、撮像制御装置１の同期通信開始処理部７４は、ステップＳ９７において取得した各撮像装置２のフォルダ名の数字のうち、最も大きい数字を特定する。そして、撮像制御装置１の同期通信開始処理部７４は、特定した最も大きい数字に１を加算した数字及び同期撮影によるものであることを示すテキストからフォルダ名を決定する。例えば、撮像制御装置１の同期通信開始処理部７４は、各撮像装置のフォルダ名の数字のうち１００が最も大きい数字であれば、「１０１＿ｓｙｎｃ」というフォルダ名を決定して指示する。
なお、撮像制御装置１の同期通信開始処理部７４の作成を指示するフォルダは、同期した撮影を行う毎に作成するように指示を行い、複数の撮像装置２に共通するフォルダ名のフォルダが作成される。そして、撮像制御装置１の同期通信開始処理部７４の作成を指示するフォルダには、同期撮影を行ったファイルが保存され、保存されるファイルは同じタイミングで撮影した撮影画像同士を同じファイル名として保存される。
このように作成された共通する名称のフォルダは、各撮像装置２毎に保存される画像のデータについて同期撮影によるものであることを特定することができ、後述の画像表示処理においては、共通する名称のフォルダに基づいて同期撮影による画像を表示するようになっている。
【００３２】
撮像制御装置１の空シャッタ処理部７５は、ユーザによる空シャッタ操作を受け付けたことに応じて、周辺環境の撮影に適した撮影条件設定になるように機構部の駆動を予め行うように、各撮像装置２に撮影準備指示を送信する。
【００３３】
撮像制御装置１の本シャッタ処理部７６は、ユーザによる本シャッタ操作を受け付けたことに応じて、同期通信開始処理部７４において算出したタイムスタンプの時間差及びクロックずれに基づいて、同期して撮影されるように撮影指示を親機の撮像装置２に送信する。
【００３４】
撮像制御装置１の撮影後処理部７７は、ユーザによる撮像装置２の選択を受け付けて、同期撮影により撮影された画像のデータを取得して、撮影された画像を表示する。
【００３５】
撮像制御装置１の画像表示処理部７８は、フォルダ名に基づいて同期撮影の画像を取得し、同一の同期撮影により保存された各撮像装置２を表示するようになっている。
【００３６】
撮像装置２のプロファイル設定処理部９１は、予め用意したデフォルトのプロファイル画像候補又はユーザが撮影した任意の画像を、プロファイル画像として受け付ける。
ここで、プロファイル画像とは、同期撮影を行う撮像装置２のうち、どの撮像装置２かを示す識別機能を示す画像をいう。プロファイル画像が撮像制御装置１に表示されることにより、表示された撮像装置２がどこに配置された撮像装置２か、どのような役割の撮像装置２かを直感的に区別することができる。
【００３７】
撮像装置２の無線通信設定処理部９２は、登録する親子関係に基づくモードを設定して、通信部４１を介して撮像制御装置１又は他の撮像装置２に接続する。
ここで、親子関係とは、撮像制御装置１との直接接続するか否かを示す関係をいう。親機は、撮像制御装置１と直接接続する撮像装置２であり、子機は、撮像制御装置１と直接接続せず親機から（親機を介して）撮像制御装置１からの指示を受け付ける撮像装置２である。
例えば、撮像制御装置１から親機の撮像装置２に同期撮影の設定指示を送信し、親機の撮像装置２は、同期撮影の設定指示に基づいて設定を登録するとともに、子機の撮像装置２に同期撮影の設定指示を送信する。子機の撮像装置２は、親機の撮像装置２から受信した同期撮影の設定指示に基づいて、設定を登録する。
本実施形態においては、親機として設定するモードは、アクセスポイントとなる、「Ａｃｃｅｓｓ  Ｐｏｉｎｔモード」をいい、子機として設定するモードは、ステーションとなる、「Ｓｔａｔｉｏｎモード」をいう。即ち、親機の撮像装置２がアクセスポイントとなり、子機の撮像装置２及び撮像制御装置１がステーションとなるようになっている。
なお、本発明は、撮像制御装置１から直接に各撮像装置２に接続してもよいが、撮像制御装置１と撮像装置２との間の通信量が増大することから、撮像制御装置１は、各撮像装置２のうち親機の撮像装置２にのみ接続することが好ましい。
また、撮像装置２に、親子関係を登録する際に、当該撮像装置２に他の撮像装置２を含むアクセスポイントを一覧表示して、当該撮像装置２及び他の撮像装置２のうち何れかの撮像装置２を親機（アクセスポイント）として選択させてもよい。なお、撮像装置２に表示されるアクセスポイントには、同期撮影とは関係のない端末についても選択肢として示されているが、撮像制御装置１の無線通信設定処理部７１において、同期撮影が開始された後は、撮像装置２における一覧表示の際には、同期撮影に無関係のアクセスポイントの機器は表示させないようにしてよい。
【００３８】
撮像装置２の撮影条件設定処理部９３は、撮像制御装置１又は親機の撮像装置２から撮影条件設定を受信し、撮影条件設定を登録する。
【００３９】
撮像装置２の同期通信開始処理部９４は、親機の撮像装置２と子機の撮像装置２との間においてパケットを送受信することにより、パケットの送受信時のタイムスタンプの時間差を算出する。また、撮像装置２の同期通信開始処理部９４は、各撮像装置２の時刻を合わせることにより、タイミング制御部を同期する。
【００４０】
また、撮像装置２の同期通信開始処理部９４は、撮像制御装置１又は親機の撮像装置２から受信したフォルダの作成指示に基づいて、フォルダを作成する。
【００４１】
撮像装置２の空シャッタ処理部９５は、周辺環境を計測することにより撮影条件を決定し、決定した撮影条件になるように機構部を駆動して、露光直前までの撮影シーケンスを実行する。
【００４２】
撮像装置２の本シャッタ処理部９６は、同期通信開始処理部７４において算出したタイムスタンプの時間差及びクロックずれに基づいて、同期して撮影されるように撮像制御装置１において作成された撮影指示により、画像のデータを取得する。本シャッタ処理部７６は、取得した画像のデータを同期通信開始処理部９４が作成したフォルダに、取得した画像のデータを保存する。
【００４３】
［動作］
図４は、図３の機能的構成を有する図１及び図２の撮像制御システム１００が実行する撮像同期制御処理の流れを説明するフローチャートである。
撮像同期制御処理は、ユーザによる入力部１８への撮像同期制御処理開始の操作により開始される。
【００４４】
ステップＳ１において、プロファイル設定処理部９１は、プロファイル設定処理を実行する。プロファイル設定処理の詳細な流れについては後述する。
【００４５】
ステップＳ２において、無線通信設定処理部７１及び無線通信設定処理部９２は、無線通信設定処理を実行する。無線通信設定処理の詳細な流れについては後述する。
【００４６】
ステップＳ３において、カメラ選択処理部７２は、カメラ選択処理を実行する。カメラ選択処理の詳細な流れについては後述する。
【００４７】
ステップＳ４において、撮影条件設定処理部７３及び撮影条件設定処理部９３は、撮影条件設定処理を実行する。撮影条件設定処理の詳細な流れについては後述する。
【００４８】
ステップＳ５において、同期通信開始処理部７４及び同期通信開始処理部９４は、同期通信開始処理を実行する。同期通信開始処理の詳細な流れについては後述する。
【００４９】
ステップＳ６において、空シャッタ処理部７５及び空シャッタ処理部９５は、空シャッタ処理を実行する。空シャッタ処理の詳細な流れについては後述する。
【００５０】
ステップＳ７において、本シャッタ処理部７６及び本シャッタ処理部９６は、本シャッタ処理を実行する。本シャッタ処理の詳細な流れについては後述する。
【００５１】
ステップＳ８において、撮影後処理部７７は、撮影後処理を実行する。撮影後処理の詳細な流れについては後述する。
【００５２】
ステップＳ９において、画像表示処理部７８は、画像表示処理を実行する。画像表示処理の詳細な流れについては後述する。その後、撮像同期制御処理は終了する。
【００５３】
図５は、図３の機能的構成を有する図２の撮像制御システム１００が実行する撮像同期制御処理のうち撮像装置２によるプロファイル設定処理の流れを説明するフローチャートである。
【００５４】
ステップＳ１１において、プロファイル設定処理部９１は、予め用意されているデフォルトのカメラ識別用プロファイル画像候補及び任意の画像選択アイコンを一覧表示する。
ステップＳ１２において、プロファイル設定処理部９１は、一覧表示したプロファイル画像候補の選択又は画像選択アイコンの選択を受け付ける。
【００５５】
ステップＳ１３において、プロファイル設定処理部９１は、受け付けた選択が画像選択アイコンかを判定する。
画像選択アイコンである場合、ステップＳ１３においてＹＥＳと判定されて、処理はステップＳ１４に移行する。
一方、画像選択アイコンでない場合、ステップＳ１３においてＮＯと判定されて、処理はステップＳ１５に移行する。
【００５６】
ステップＳ１４において、プロファイル設定処理部９１は、ユーザが撮影した（又は用意した）任意の画像を受け付ける。
ステップＳ１５において、プロファイル設定処理部９１は、ステップＳ１１においてユーザが選択したプロファイル画像候補又はステップＳ１４において受け付けた任意の画像を、プロファイル画像として記憶部４０に記憶する。その後、撮像同期制御処理に戻る。
【００５７】
図６は、図３の機能的構成を有する図２の撮像制御システム１００が実行する撮像同期制御処理のうち撮像制御装置１及び撮像装置２による無線通信設定処理の流れを説明するフローチャートである。
ステップＳ３１において、撮像装置２のうち、親機として登録する撮像装置２の無線通信設定処理部９２は、ＷｉＦｉをＡｃｃｅｓｓ  Ｐｏｉｎｔモードに設定し、起動する。
【００５８】
ステップＳ３２において、撮像装置２のうち、子機として登録する撮像装置２の無線通信設定処理部９２は、ＷｉＦｉをＳｔａｔｉｏｎモードに設定し、Ａｃｃｅｓｓ  Ｐｏｉｎｔを選択して起動する。
【００５９】
ステップＳ３１の親機の起動後及びステップＳ３２の子機の起動後、それぞれの撮像装置２がどのモードで接続するかを示す図７のようなイメージを出力部１９に表示させる。図７は、撮像装置２において無線通信設定処理後に表示される画面のイメージ図である。図７（ａ）は、親機として登録された撮像装置２がステップＳ３１の処理後に表示されるイメージ例であり、撮像制御装置１や子機の撮像装置２との関係を示す図やテキストが表示される。図７（ｂ）は、子機として登録された撮像装置２がステップＳ３２の処理後に表示されるイメージ例であり、撮像制御装置１や親機の撮像装置２との関係を示す図やテキストが表示される。
【００６０】
ステップＳ３３において、撮像制御装置１の無線通信設定処理部７１は、ＷｉＦｉをＳｔａｔｉｏｎ  Ｐｏｉｎｔモードに設定し、Ａｃｃｅｓｓ  Ｐｏｉｎｔモードを選択して起動する。その後、撮像同期制御処理に戻る。
【００６１】
図８は、図３の機能的構成を有する図２の撮像制御システム１００が実行する撮像同期制御処理のうち撮像制御装置１によるカメラ選択処理の流れを説明するフローチャートである。
【００６２】
ステップＳ５１において、カメラ選択処理部７２は、同一ネットワークに存在する機器の中で、同期撮影に参加可能である撮像装置２からプロファイル画像の情報を取得して一覧表示する。
ステップＳ５１において一覧表示される画面例を図９に示す。図９は、ステップＳ５１における一覧表示のイメージ図である。図９（ａ）に示すように、ステップ５１において各撮像装置２のプロファイル画像が撮像制御装置１に表示される。なお、各撮像装置２においては、図９（ｂ）のように、無線通信中であることが表示される。
【００６３】
ステップＳ５２において、カメラ選択処理部７２は、ライブビュー画像を表示させる操作を受け付けたかを判定する。ライブビュー画像を表示させる操作は、例えば、プロファイル画像を選択する操作である。
ライブビュー画像を表示させる操作を受け付けた場合、ステップＳ５２においてＹＥＳと判定されて、処理はステップＳ５３に移行する。
一方、ライブビュー画像を表示させる操作を受け付けていない場合、ステップＳ５２においてＮＯと判定されて、処理はステップＳ５６に移行する。
【００６４】
ステップＳ５３において、カメラ選択処理部７２は、ライブビュー画像を表示させる操作（プロファイル画像を選択する操作）に対応する撮像装置２からライブビュー画像を取得してプロファイル画像に代えてライブビュー画像を表示させる。
ステップＳ５３において表示されるライブビュー画像の画面例を図１０に示す。図１０は、ステップＳ５３におけるライブビュー画像の表示画面例のイメージ図である。図１０に示すように、ステップ５３においては、プロファイル画像を表示されている枠Ｖ１に、プロファイル画像に代えてライブビュー画像が表示される。なお、プロファイル画像の枠の下には、後述のステップＳ５４にて判定されるライブビュー画像のズーム変更させる操作を受け付ける操作部ＺＢが設置されている。
【００６５】
ステップＳ５４において、カメラ選択処理部７２は、ライブビュー画像のズーム変更させる操作を受け付けたかを判定する。ライブビュー画像のズーム変更させる操作は、例えば、各プロファイル画像に設けられた操作部ＺＢに対して行われるスライド操作である。
ライブビューのズーム変更させる操作を受け付けた場合、ステップＳ５４においてＹＥＳと判定されて、処理はステップＳ５５に移行する。
一方、ライブビューのズーム変更させる操作を受け付けていない場合、ステップＳ５４においてＮＯと判定されて、処理はステップＳ５５に移行する。
【００６６】
ステップＳ５６において、カメラ選択処理部７２は、同期撮影に参加させるカメラのプロファイル画像を選択する操作を受け付ける。
【００６７】
ステップＳ５７において、カメラ選択処理部７２は、カメラ選択を決定する操作を受け付けたかを判定する。
カメラ選択を決定する操作を受け付けた場合、ステップＳ５７においてＹＥＳと判定されて、処理はステップＳ５８に移行する。
一方、カメラ選択を決定する操作を受け付けていない場合、ステップＳ５７においてＮＯと判定されて、処理はステップＳ５２に移行し、カメラ選択処理は繰り返される。
【００６８】
ステップＳ５８において、カメラ選択処理部７２は、選択されたプロファイル画像に対応する撮像装置２を登録する。その後、撮像同期制御処理に戻る。
【００６９】
図１１は、図３の機能的構成を有する図２の撮像制御システム１００が実行する撮像同期制御処理のうち撮像制御装置１及び撮像装置２による撮影条件設定処理の流れを説明するフローチャートである。
【００７０】
ステップＳ７１において、子機の撮像装置２の撮影条件設定処理部９３は、撮影条件設定を親機の撮像装置２に送信する。
【００７１】
ステップＳ７２において、親機の撮像装置２の撮影条件設定処理部９３は、受信した子機の撮像装置２の撮影条件設定及び親機の撮影条件設定を撮像制御装置１に送信する。
【００７２】
ステップＳ７３において、撮像制御装置１の撮影条件設定処理部７３は、受信した各撮像装置２の撮影条件設定を表示する。
【００７３】
ステップＳ７４において、撮像制御装置１の撮影条件設定処理部７３は、１台の撮像装置２又は全ての撮像装置２を設定対象として選択し、同期撮影時の撮影条件設定を受け付ける。
同期撮影時の撮影条件設定は、例えば、図１２のような入力画面により受け付ける。図１２は、ステップＳ７４における撮影条件設定の受付画面例のイメージ図である。図１２（ａ）においては、単写・高速連写・動画などの撮影モードの選択を受け付け、図１２（ｂ）においては、シャッタースピード・ＩＳＯ感度・ＥＶシフト・フラッシュ等を設定する。
撮影条件設定を行う際には、図１２（ｂ）に示すように、親機の撮像装置２等のある撮像装置２に撮影条件設定を合わせるように設定する選択部を設けてもよい。
【００７４】
ステップＳ７５において、撮像制御装置１の撮影条件設定処理部７３は、１台のカメラ又は全てのカメラを設定対象として選択し、同期撮影時の撮影条件設定を親機の撮像装置２に送信する。
【００７５】
ステップＳ７６において、親機の撮像装置２の撮影条件設定処理部９３は、受信した同期撮影時の撮影条件設定を、指定された撮像装置２に送信する。
【００７６】
ステップＳ７７において、撮像装置２の撮影条件設定処理部９３は、受信した同期撮影時の撮影条件設定を登録する。その後、同期撮影処理に戻る。
【００７７】
図１３は、図３の機能的構成を有する図２の撮像制御システム１００が実行する撮像同期制御処理のうち撮像制御装置１及び撮像装置２による同期通信開始処理の流れを説明するフローチャートである。
【００７８】
ステップＳ９１において、撮像制御装置１の同期通信開始処理部７４は、親機の撮像装置２に同期通信開始の指示を送信する。
なお、撮像制御装置１の同期通信開始処理部７４は、ステップＳ９８における同期完了通知を受信するまでは、同期通信中である旨の図１４のような表示をしてもよい。図１４は、ステップＳ９１の処理からステップＳ９８の処理に至るまでに撮像制御装置１に表示される画面のイメージ図である。図１４に示されるように、撮像制御装置１においては、同期通信をキャンセルしない限り、他の操作が制限されるとともに、同期完了までの予測時間がカウントされる画面が表示される。
【００７９】
ステップＳ９２において、親機の撮像装置２の同期通信開始処理部９４は、子機の撮像装置２に同期パケットを送信する。
【００８０】
ステップＳ９３において、子機の撮像装置２の同期通信開始処理部９４は、親機の撮像装置２に応答パケットを返信する。
【００８１】
ステップＳ９４において、親機の撮像装置２の同期通信開始処理部９４は、子機の撮像装置２から受信した応答パケットの受信時間に基づいてタイムスタンプの時間差及び撮影中のクロックずれを算出する。
【００８２】
ステップＳ９５において、親機の撮像装置２の同期通信開始処理部９４は、（ステップＳ９４において算出された時間差ではなく）各撮像装置２のタイミング制御部を同期する指示を子機の撮像装置２に送信する。タイミング制御部を同期する指示を受信した子機の撮像装置２は、タイミング制御部を同期する指示に基づいて、同一時刻になるようにタイミング制御部を同期する。なお、親機の撮像装置２の同期通信開始処理部９４は、同期されるタイミング制御部を、撮影タイミングのずれが所定精度以下になるように制御される。例えば、親機の撮像装置２の同期通信開始処理部９４は、１／１００秒以下の精度の時刻を合わせる。同一時刻になるようにタイミング制御部を同期する際には、親機の撮像装置２を基準として同期してよい。
これにより、図１５（ａ）のように、各撮像装置２毎にずれていた、タイミング制御部の時刻を、図１５（ｂ）のように同一時刻になるように同期することができる。なお、図１５は、本発明の原理を説明する概念図である。
【００８３】
ステップＳ９７において、撮像制御装置１の同期通信開始処理部７４は、各撮像装置２の記憶部４０又はリムーバブルメディア５１のフォルダ構成の情報を取得する。
【００８４】
ステップＳ９８において、撮像制御装置１の同期通信開始処理部７４は、取得したフォルダ構成に重複しないフォルダ名を決定して、親機の撮像装置２を介して各撮像装置２にフォルダの作成指示を送信する。各撮像装置２の同期通信開始処理部９４は、受信したフォルダの作成指示に基づいて、各撮像装置２に共通するフォルダ名のフォルダを作成する。
なお、本実施形態においては、撮像制御装置１の同期通信開始処理部７４の作成するフォルダは、ステップＳ９７において取得した各撮像装置２のフォルダ名の数字のうち、最も大きい数字を特定する。そして、撮像制御装置１の同期通信開始処理部７４は、特定した最も大きい数字に１を加算した数字及び同期撮影によるものであることを示すテキストからフォルダ名を決定する。例えば、撮像制御装置１の同期通信開始処理部７４は、各撮像装置のフォルダ名の数字のうち１００が最も大きい数字であれば、「１０１＿ｓｙｎｃ」というフォルダ名を決定して指示する。
なお、全てのカメラで共通のフォルダ名を指示する他、「１０１＿ｓｙｎｃ＿ＣａｍｅｒａＡ」、「１０１＿ｓｙｎｃ＿ＣａｍｅｒａＢ」のように、同期撮影に共通する文字列部分（番号部分）と、各カメラを識別する文字列部分を連結したフォルダ名を指示するようにしてもよい。
ファイル名についても同様に、全てのカメラで共通のファイル名を指示する他、同期撮影に共通する文字列部分（番号部分）と、各カメラを識別する文字列部分を連結したファイル名を指示するようにしてもよい。
【００８５】
ステップＳ９８において、親機の撮像装置２の同期通信開始処理部９４は、同期が完了したか否かを判定する。
同期が完了した場合には、ステップＳ９８においてＹＥＳと判定されて、処理はステップＳ１００に進む。
同期が完了しない場合には、ステップＳ９８においてＮＯと判定されて、処理はステップＳ９９に進む。
【００８６】
ステップＳ９９において、親機の撮像装置２の同期通信開始処理部９４は、所定時間が経過したか否かを判定する。
所定時間が経過した場合には、ステップＳ９９においてＹＥＳと判定されて、処理はステップＳ９２に戻る。
所定時間が経過しない場合には、ステップＳ９９においてＮＯと判定されて、処理はステップＳ９９に戻る。
【００８７】
ステップＳ１００において、親機の同期通信開始処理部９４は、撮像制御装置１に同期完了を通知する。その後、撮像同期制御処理に戻る。
【００８８】
図１６は、図３の機能的構成を有する図２の撮像制御システム１００が実行する撮像同期制御処理のうち撮像制御装置１及び撮像装置２による空シャッタ処理の流れを説明するフローチャートである。
【００８９】
ステップＳ１０１において、撮像制御装置１の空シャッタ処理部７５は、空シャッタ操作をしたか否かを判定する。
空シャッタ操作をした場合には、ステップＳ１０１においてＹＥＳと判定されて、処理はステップＳ１０２に進む。
空シャッタ操作をしない場合には、ステップＳ１０１においてＮＯと判定されて、処理はステップＳ１０１に戻る。
【００９０】
ステップＳ１０２において、撮像制御装置１の空シャッタ処理部７５は、親機の撮像装置２及び親機の撮像装置２を介して子機の撮像装置２に対して、空シャッタ処理を指示する。
【００９１】
ステップＳ１０３において、撮像装置２の空シャッタ処理部９５は、被写体の状態などの周辺環境を計測することにより撮影条件設定を決定する。具体的には、空シャッタ処理部９５は、周辺環境をセンサ部３７により計測して、被写体の状態などの周辺環境に影響を受けるＡＦ機能、ＡＥ機能及びＡＷＢ等の撮影条件設定について設定値を決定する。
【００９２】
ステップＳ１０４において、撮像装置２の空シャッタ処理部９５は、ステップＳ１０３において決定した撮影条件設定になるように機構部を駆動する。具体的には、空シャッタ処理部９５は、ステップＳ１０３で決定した設定値に基づいて、レンズの動作やセンサの駆動を行う。
このように、ステップＳ１０４の処理を行うことにより、各撮像装置２や周辺環境毎に異なるレンズの動作やセンサの駆動等の機構部の駆動の差異による撮影に至るまでの時間のずれを、本シャッタ処理において減少させることができる。
【００９３】
ステップＳ１０５において、親機の撮像装置２の空シャッタ処理部９５は、所定時間が経過したか否かを判定する。
所定時間が経過しない場合には、ステップＳ１０５においてＮＯと判定されて、待機状態となる。
所定時間が経過した場合には、ステップＳ１０５においてＹＥＳと判定されて、処理はステップＳ１０６に移行する。
【００９４】
ステップＳ１０６において、各撮像装置２の空シャッタ処理部９５は、動画撮影する際に必要となるファイルを作成し、ファイルをオープンして撮影の準備をする。
【００９５】
ステップＳ１０７において、子機の撮像装置２の空シャッタ処理部９５は、親機の撮像装置２に撮影準備の完了通知を送信する。その後、撮像同期制御処理に戻る。
【００９６】
これにより、図１５（ｃ）のように、空シャッタから撮影可能タイミングまでに各撮像装置２の生じるずれを予め調整しておくことにより、後述の本シャッタ処理において、機構部の駆動やファイルのオープン等による撮影のずれを生じさせないことができる。
【００９７】
図１７は、図３の機能的構成を有する図２の撮像制御システム１００が実行する撮像同期制御処理のうち撮像制御装置１及び撮像装置２による本シャッタ処理の流れを説明するフローチャートである。
【００９８】
ステップＳ１３１において、撮像制御装置１の本シャッタ処理部７６は、本シャッタ操作を受け付けたか否かを判定する。
本シャッタ操作を受け付けていない場合には、ステップＳ１３１においてＮＯと判定されて、待機状態となる。
本シャッタ操作を受け付けた場合には、ステップＳ１３１においてＹＥＳと判定されて、処理はステップＳ１３２に進む。
【００９９】
ステップＳ１３２において、撮像制御装置１の本シャッタ処理部７６は、本シャッタ処理の指示を親機の撮像装置２に送信する。
【０１００】
ステップＳ１３３において、親機の撮像装置２の本シャッタ処理部９６は、同期通信開始処理のステップＳ９４において決定したタイムスタンプの時間差に基づいて撮影予定時刻を決定する。
【０１０１】
ステップＳ１３４において、親機の撮像装置２の本シャッタ処理部９６は、撮影予定時刻のタイムスタンプを送信する。
【０１０２】
ステップＳ１３５において、子機の撮像装置２の本シャッタ処理部９６は、受信した撮影予定時刻のタイムスタンプに自己の時間差を加えて自己の撮影時刻を決定する。
【０１０３】
ステップＳ１３６において、各撮像装置２の本シャッタ処理部９６は、自己の撮影時刻か否かを判定する。
自己の撮影時刻でない場合には、ステップＳ１３６においてＮＯと判定されて、処理はステップＳ１３６に戻る。
自己の撮影時刻である場合には、ステップＳ１３６においてＹＥＳと判定されて、処理はステップＳ１３７に進む。
【０１０４】
ステップＳ１３７において、各撮像装置２の本シャッタ処理部９６は、撮影を行って画像のデータを取得し、同期通信開始処理のステップＳ９７において作成したフォルダに画像のデータを保存する。
なお、撮影モードが動画撮影の場合には、親機の撮像装置２の本シャッタ処理部９６は、所定の時間を経過する毎に、同期通信開始処理のステップＳ９４において算出したクロックずれに基づいて、一番動作の遅い（クロック周期の間隔が大きい）撮像装置２に合わせるようにクロック補正指示を子機の撮像装置２に送信する。子機の撮像装置２は、受信したクロック補正指示に基づいて、撮影時点を遅くする。これにより、撮像装置２内蔵の水晶振動子の精度により異なる可能性のあるクロックずれを是正して、動画撮影中に生じる同期のずれを減少させることができる。即ち、クロックずれを是正する同期維持動作が行われることにより、タイミング制御部の同期状態が維持される。
なお、保存される画像のデータについて、ファイル名は、フォルダ名と同様の名称が付されてよく、連続撮影のように一の同期撮影（同期撮影用の通信接続が確立した状態で逐次行った同期撮影）において複数のファイルが生成される場合には、同じフォルダに保存されるとともに、フォルダ内で区別ができるように撮影の前後関係になるように前後関係を示す識別情報が付与され、他の撮像装置２において同時期の撮影されたファイルが明確になるように他の撮像装置２と同一の名称が付与される。例えば、フォルダ名に、撮影回数毎に加算される数字を加えた名称をファイル名としてよい。さらに、ファイル（画像のデータ）には、時刻情報が付加されてよく、ファイル名により特定された同時期に撮影されたファイルと、ファイルに付加された時刻情報とに基づいて、撮影タイミングのずれが所定精度以下になるように調整されてよい。
【０１０５】
ステップＳ１３８において、各撮像装置２の本シャッタ処理部９６は、撮影が成功したか否かを判定する。
撮影が成功しない場合には、ステップＳ１３８においてＮＯと判定されて、処理はステップＳ１３９に進む。
撮影が成功した場合には、ステップＳ１３８においてＹＥＳと判定されて、処理はステップＳ１４０に進む。
【０１０６】
ステップＳ１３９において、各撮像装置２の本シャッタ処理部９６は、撮影失敗を撮像制御装置１に通知する。
【０１０７】
ステップＳ１４０において、撮像制御装置１の本シャッタ処理部９６は、撮影の成否を一覧表示する。その後、撮像同期制御処理に戻る。
【０１０８】
このように、本シャッタ処理は、図１５（ｄ）に示すように、タイムスタンプの時間差に基づいて自己の撮影時刻が決定されるため、通信の伝播遅延に伴う時間差にかかわらず同期して撮影することができる。
図１５（ｄ）では、撮影までに行われる機構部の駆動やファイルのオープン等の撮影シーケンスは、空シャッタ処理により既に完了しているため、「８」のタイミングよりも早く同期撮影を行うことが可能であるが、本実施形態においては、撮影シーケンスを行った場合に最も遅く撮影シーケンスが完了する「８」のタイミングに撮影を行うようになっている。
【０１０９】
図１８は、図３の機能的構成を有する図２の撮像制御システム１００が実行する撮像同期制御処理のうち撮像制御装置１及び撮像装置２による撮影後処理の流れを説明するフローチャートである。
【０１１０】
ステップＳ１６１において、撮像制御装置１の撮影後処理部７７は、撮像装置２の選択を指示したか否かを判定する。
撮像装置２の選択を指示しない場合には、ステップＳ１６１においてＮＯと判定されて、処理はステップＳ１６４に進む。ステップＳ１６４以降の処理は後述する。
撮像装置２の選択を指示した場合には、ステップＳ１６１においてＹＥＳと判定されて、処理はステップＳ１６２に進む。
【０１１１】
ステップＳ１６２において、撮像制御装置１の撮影後処理部７７は、選択された撮像装置２から画像のデータを取得する。
【０１１２】
ステップＳ１６３において、撮像制御装置１の撮影後処理部７７は、取得した画像のデータに基づいて画像を表示する。
【０１１３】
ステップＳ１６４において、撮像制御装置１の撮影後処理部７７は、ユーザによる終了操作を受け付けたか否かを判定する。
終了操作を受け付けていない場合には、ステップＳ１６４においてＮＯと判定されて、処理はステップＳ１６１に戻る。
終了操作を受け付けた場合には、ステップＳ１６４においてＹＥＳと判定されて、処理はステップＳ１６５に進む。
【０１１４】
ステップＳ１６５において、撮像制御装置１の撮影後処理部７７は、同期解除の指示を送信する。
【０１１５】
ステップＳ１６６において、各撮像装置２の同期通信開始処理部７４は、同期を解除する。その後、撮像同期制御処理に戻る。
【０１１６】
図１９は、図３の機能的構成を有する図２の撮像制御システム１００が実行する撮像同期制御処理のうち撮像制御装置１及び撮像装置２による画像表示処理の流れを説明するフローチャートである。
【０１１７】
ステップＳ１８１において、撮像制御装置１の画像表示処理部７８は、各撮像装置２の記憶部４０又はリムーバブルメディア５１のフォルダ構成の情報を取得する。
【０１１８】
ステップＳ１８２において、撮像制御装置１の画像表示処理部７８は、特定のフォルダがあるか否かを判定する。
特定のフォルダがない場合には、ステップＳ１８２においてＮＯと判定されて、処理は撮像同期制御処理に戻る。
特定のフォルダがある場合には、ステップＳ１８２においてＹＥＳと判定されて、処理はステップＳ１８３に進む。
【０１１９】
ステップＳ１８３において、撮像制御装置１の画像表示処理部７８は、フォルダ内の同一ファイル名の画像を取得する。
【０１２０】
ステップＳ１８４において、撮像制御装置１の画像表示処理部７８は、取得した画像を一覧表示する。
【０１２１】
ステップＳ１８５において、撮像制御装置１の画像表示処理部７８は、次の画像を表示する指示があるか否かを判定する。
次の画像を表示する指示があった場合には、ステップＳ１８５においてＹＥＳと判定されて、処理はステップＳ１８３に戻る。
次の画像を表示する指示がない場合には、ステップＳ１８５においてＮＯと判定されて、撮像同期制御処理に戻る。
【０１２２】
以上のように構成される撮像制御システム１００は、撮像制御装置１と、複数の撮像装置２とを備える。
複数の撮像装置２は、同期撮影に参加する複数の撮像装置２の中の１台が親機の撮像装置２、他の撮像装置２が子機の撮像装置２となり、親機の撮像装置２は、同期撮影に参加する複数の撮像装置２間で撮影タイミングを同期させる制御を行う。
撮像制御装置１は、ユーザからの指示内容を複数の撮像装置２に指示する制御を行う。
これにより、ユーザは、親機の撮像装置２を中心に同期撮影の設定を行えばよく、複数台のカメラで同期撮影を行う場合に、同期撮影の設定をより容易に行うことができる。
【０１２３】
また、撮像制御システム１００は、撮像制御装置１と、複数の撮像装置２とを含む任意の機器間で無線通信を行う場合に、同期撮影に参加する複数の撮像装置２の中の１台が無線通信のアクセスポイントとなり、この無線通信のアクセスポイントとなった撮像装置２以外の他の撮像装置２と、撮像制御装置１とが無線通信のステーションとなる。
これにより、撮像装置２各々が撮像制御装置１と通信せず、アクセスポイントとなった撮像装置２を介して通信するので伝播遅延が生じにくく、ユーザは、各々の通信状況を考慮する必要性が少なくなるため、複数台のカメラで同期撮影を行う場合に、同期撮影の設定をより容易に行うことができる。
【０１２４】
また、撮像制御システム１００は、親機の撮像装置２がアクセスポイントとなり、撮像制御装置１および子機の撮像装置２がステーションとなる。
これにより、通信の拠点となるアクセスポイントと、設定の中心となる親機とが同一であるため、ユーザは、複雑な設定を考慮する必要がなく、複数台のカメラで同期撮影を行う場合に、同期撮影の設定をより容易に行うことができる。
【０１２５】
また、撮像制御装置１は、出力部１９を備える。
出力部１９は、画面表示を行う。
撮像制御装置１は、出力部１９の画面表示において、同期撮影可能な前記複数の撮像装置２の各々に対応する各撮像装置２の識別情報を一覧表示し、同期撮影に参加させるカメラを選択する。
これにより、撮像制御装置１において、同期撮影可能な撮像装置２を簡易に把握することができ、ユーザは、撮像制御装置１を見れば、同期撮影を行うことのできる撮像装置２を把握でき、複数台のカメラで同期撮影を行う場合に、同期撮影の設定をより容易に行うことができる。
【０１２６】
また、撮像制御装置１は、出力部１９による画面表示において、親機の撮像装置２と子機の撮像装置２とを識別して表示する。
これにより、設定の中心となる親機の撮像装置２と子機の撮像装置２とを直感的に把握することができ、複数台のカメラで同期撮影を行う場合に、同期撮影の設定をより容易に行うことができる。
【０１２７】
また、撮像制御装置１は、出力部１９による画面表示において、複数の撮像装置２の各々の識別情報であるプロフィール画像を、予め決められた複数のプロフィール画像の中から選択、または、任意に選択した撮影画像から作成して登録したプロフィール画像の中から選択可能に表示する。
これにより、画面に表示されるプロフィール画像を見れば、直感的に各撮像装置２の配置や役割等を把握することができ、複数台のカメラで同期撮影を行う場合に、同期撮影の設定をより容易に行うことができる。
【０１２８】
また、撮像制御装置１は、出力部１９による画面表示において、一覧表示されているプロフィール画像の選択により、選択されたプロフィール画像に対応する撮像装置２のライブビュー画像を受信し、対応するプロフィール画像に代えて表示する。
これにより、ユーザは、プロフィール画像により把握される配置や役割等を把握したうえで、ユーザが必要と感じたときに実際の撮影画面をライブビューにより確認することができるため、複数のライブビューが表示されてライブビューを詳細に見なければならず直感的にわかり難くなるということはなく、複数台のカメラで同期撮影を行う場合に、同期撮影の設定をより容易に行うことができる。
【０１２９】
また、撮像装置２は、撮影条件設定処理部９３をさらに備える。
撮影条件設定処理部９３は、撮像制御装置１からの指示で、個々の撮像装置２、または同期撮影に参加する全ての撮像装置２に一括して撮影条件を設定する。
これにより、ユーザが個々の撮像装置２を直接に操作することにより設定をする必要はなく、撮像制御装置１を操作することにより、他の撮像装置２を容易に比較することができ、複数台のカメラで同期撮影を行う場合に、同期撮影の設定をより容易に行うことができる。
【０１３０】
また、撮影条件設定処理部９３は、撮像制御装置１からの指示で、子機の撮像装置２の撮影条件を、親機の撮像装置２の撮影条件に合わせるか、撮像制御装置１の操作でユーザが指定した撮影条件を複数の撮像装置２に設定するかを選択する。
これにより、ユーザは、複数の撮像装置２に共通する設定を、撮像装置２毎に設定する必要はなく、複数台の撮像装置２で同期撮影を行う場合に、同期撮影の設定をより容易に行うことができる。
【０１３１】
また、撮像制御システム１００は、撮影操作を行う撮像制御装置１と、この撮像制御装置１からの指示に応じて、同期した撮影を行う複数の撮像装置２からなる。
撮像制御システム１００は、撮像制御装置１と、撮像制御装置１からの指示に応じて撮像制御装置１と複数の撮像装置２とを含む任意の機器間で無線通信を行う場合に、同期撮影に参加する複数の撮像装置２の中の１台が無線通信のアクセスポイントとなり、無線通信のアクセスポイントとなった撮像装置２以外の他の撮像装置２と撮像制御装置１が無線通信のステーションとなる。
これにより、親機の撮像装置２がアクセスポイントとなり、子機の撮像装置２と撮像制御装置１がステーションとなるため、各々撮像装置２が撮像制御装置１と通信せず、親機の撮像装置２を介して通信するので伝播遅延が生じにくく、ユーザは、各々の通信状況を考慮する必要性が少なくなるため、複数台のカメラで同期撮影を行う場合に、同期撮影の設定をより容易に行うことができる。
【０１３２】
また、撮像制御システム１００は、撮像制御装置１のカメラ選択処理部７２は、画面表示を行う。
撮像装置２の各々は、無線ＬＡＮに接続する際に、接続可能なアクセスポイントを一覧表示して選択するアクセスポイント選択機能を有する。
撮像制御装置１は、カメラ選択処理部７２による画面表示において、同期撮影モードが選択された場合には、最初にアクセスポイントとなる撮像装置２を設定した後、ステーションとなる撮像装置２がアクセスポイントを選択する際に、同期撮影に無関係の機器のアクセスポイントを選択肢として表示させないようにする。
これにより、アクセスポイントを選択する際に、同期撮影に無関係の機器は表示されなくなるため、ユーザは同期撮影を行う際に同期撮影を行えないアクセスポイントを選択することはなくなり、複数台のカメラで同期撮影を行う場合に、同期撮影の設定をより容易に行うことができる。
【０１３３】
撮像制御システム１００は、複数の撮像装置２のいずれかが撮像制御装置１の機能を兼用する。
これにより、撮像装置２の他に別途撮像制御装置１を用意しなくても同期撮影を行うことができ、複数台のカメラで同期撮影を行う場合に、同期撮影の設定をより容易に行うことができる。
【０１３４】
また、撮像制御装置１は、出力部１９と通信部２１とを備える。撮像制御装置１は、カメラ選択処理部７２と、本シャッタ処理部７６とを備える。
出力部１９は、画面表示を行う。
通信部２１は、複数の撮像装置２との間で無線通信を行う。
カメラ選択処理部７２は、出力部１９の画面表示において、同期撮影可能な前記複数の撮像装置２の各々に対応する各撮像装置２の識別情報を一覧表示し、同期撮影に参加させるカメラを選択する。
本シャッタ処理部７６は、ユーザ操作に応じて通信部２１によりカメラ選択処理部７２により選択された複数の撮像装置による同期撮影の実行を指示する。
これにより、撮像制御装置１において、同期撮影可能な撮像装置２を簡易に把握することができ、ユーザは、撮像制御装置１を見れば、同期撮影を行うことのできる撮像装置２を把握でき、複数台のカメラで同期撮影を行う場合に、同期撮影の設定をより容易に行うことができる。
【０１３５】
なお、本発明は、上述の実施形態に限定されるものではなく、本発明の目的を達成できる範囲での変形、改良等は本発明に含まれるものである。
【０１３６】
上述した実施形態では、空シャッタ処理部９５が露光直前までの撮影シーケンスを実行し、本シャッタ処理部９６は、既に撮影シーケンスが実行されているが、撮影シーケンスを行った場合に最も遅いタイミングにおいて撮影を行っていたがこれに限られない。
例えば、空シャッタ処理部９５は、露光直前までの撮影シーケンスを実行して実行に至るまでの時間を計測し、本シャッタ処理部９６において、撮影シーケンスを実行し露光直前までの撮影シーケンスの時間の最も遅い撮像装置２に合うように撮影を行うようにしてもよい。
また、例えば、空シャッタ処理部９５は、露光直前までの撮影シーケンスを実行し、本シャッタ処理部９６において、撮影シーケンスを実行せずに、且つ、撮影シーケンスにかかる時間を調整せずに撮影を行ってよい。この場合は、既に、撮影シーケンスを空シャッタ処理の際に行っているため、撮影シーケンスにおいて生じるずれはなく、撮影シーケンスに時間をかける必要がないため、図１５（ｄ）の「８」より早いタイミングにおいて同期して撮影できる。
【０１３７】
上述した一連の処理は、ハードウェアにより実行させることもできるし、ソフトウェアにより実行させることもできる。
換言すると、図２や図３等のハードウェア構成及び機能的構成は例示に過ぎず、特に限定されない。即ち、上述した一連の処理を全体として実行できる機能が撮像制御システム１００に備えられていれば足り、この機能を実現するためにどのような機能ブロックを用いるのかは特に図３等の例に限定されない。
また、１つの機能ブロックは、ハードウェア単体で構成してもよいし、ソフトウェア単体で構成してもよいし、それらの組み合わせで構成してもよい。
【０１３８】
また、上述の実施形態における撮像制御装置１及び撮像装置２に備えられるハードウェア構成及び機能的構成は、他の機器に備えられてよく、図２及び図３等の例に限定されない。
例えば、撮像装置２の何れか（例えば、親機の撮像装置２）は、撮像装置２の機能的構成に加えて、撮像制御装置１の機能的構成を備えるように構成されてよい。
【０１３９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１４０】
このようなプログラムを含む記録媒体は、ユーザにプログラムを提供するために装置本体とは別に配布されるリムーバブルメディア３０により構成されるだけでなく、装置本体に予め組み込まれた状態でユーザに提供される記録媒体等で構成される。リムーバブルメディアは、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部２０に含まれるハードディスク等で構成される。
【０１４１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【０１４２】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１４３】
以下に、本願の出願当初の特許請求の範囲に記載された発明を付記する。
［付記１］
撮影操作を行う操作端末と、この操作端末からの指示に応じて同期した撮影を行う複数のカメラと、を備える同期撮影システムであって、
前記複数のカメラは、同期撮影に参加する複数のカメラの中の１台が親機カメラ、他のカメラが子機カメラとなり、
前記親機カメラは、同期撮影に参加する前記複数のカメラ間で撮影タイミングを同期させる制御を行い、
前記操作端末は、ユーザからの指示内容を前記複数のカメラに指示する制御を行う、
ことを特徴とする同期撮影システム。
［付記２］
前記操作端末と、前記複数のカメラとを含む任意の機器間で無線通信を行う場合に、同期撮影に参加する前記複数のカメラの中の１台が無線通信のアクセスポイントとなり、この無線通信のアクセスポイントとなったカメラ以外の他のカメラと、前記操作端末とが無線通信のステーションとなる、
ことを特徴とする付記１に記載の同期撮影システム。
［付記３］
前記親機カメラがアクセスポイントとなり、前記操作端末および前記子機カメラがステーションとなる、
ことを特徴とする付記２に記載の同期撮影システム。
［付記４］
前記操作端末は、画面表示を行う表示手段を備え、
前記操作端末は、前記表示手段での画面表示において、同期撮影可能な前記複数のカメラの各々に対応する各カメラの識別情報を一覧表示し、同期撮影に参加させるカメラを選択する、
ことを特徴とする付記１乃至３のいずれか１つに記載の同期撮影システム。
［付記５］
前記操作端末は、前記表示手段での画面表示において、親機カメラと子機カメラとを識別して表示する、
ことを特徴とする付記４に記載の同期撮影システム。
［付記６］
前記操作端末は、前記表示手段での画面表示において、前記複数のカメラの各々の識別情報であるプロフィール画像を、予め決められた複数のプロフィール画像の中から選択、または、任意に選択した撮影画像から作成して登録したプロフィール画像の中から選択可能に表示する、
ことを特徴とする付記４又は５に記載の同期撮影システム。
［付記７］
前記操作端末は、前記表示手段での画面表示において、一覧表示されているプロフィール画像の選択により、選択されたプロフィール画像に対応するカメラのライブビュー画像を受信し、対応するプロフィール画像に代えて表示する、
ことを特徴とする付記６に記載の同期撮影システム。
［付記８］
前記操作端末からの指示で、個々のカメラ、または同期撮影に参加する全てのカメラに一括して撮影条件を設定する、
ことを特徴とする付記１乃至７のいずれか１つに記載の同期撮影システム。
［付記９］
前記操作端末からの指示で、前記子機カメラの撮影条件を、前記親機カメラの撮影条件に合わせるか、前記操作端末の操作でユーザが指定した撮影条件を複数のカメラに設定するかを選択する、
ことを特徴とする付記１乃至７のいずれか１つに記載の同期撮影システム。
［付記１０］
撮影操作を行う操作端末と、この操作端末からの指示に応じて、同期した撮影を行う複数のカメラからなる同期撮影システムであって、
撮影操作を行う前記操作端末と、この操作端末からの指示に応じて前記操作端末と前記複数のカメラとを含む任意の機器間で無線通信を行う場合に、同期撮影に参加する前記複数のカメラの中の１台が無線通信のアクセスポイントとなり、前記無線通信のアクセスポイントとなったカメラ以外の他のカメラと前記操作端末が無線通信のステーションとなる、
ことを特徴とする同期撮影システム。
［付記１１］
前記操作端末は、画面表示を行う表示手段を備え、
前記カメラの各々は、無線ＬＡＮに接続する際に、接続可能なアクセスポイントを一覧表示して選択するアクセスポイント選択機能を有し、
前記操作端末は、前記表示手段での画面表示において、同期撮影モードが選択された場合には、最初にアクセスポイントとなるカメラを設定した後、ステーションとなるカメラがアクセスポイントを選択する際に、同期撮影に無関係の機器のアクセスポイントを選択肢として表示させないようにする、
ことを特徴とする付記１０に記載の同期撮影システム。
［付記１２］
前記複数のカメラのいずれかが前記操作端末の機能を兼用する、
ことを特徴とする付記１乃至１１のいずれか１つに記載の同期撮影システム。
［付記１３］
画面表示を行う表示手段と、
複数のカメラとの間で無線通信を行う無線通信手段と、
前記無線通信手段により前記複数のカメラの各々から識別情報を取得する取得手段と、
前記表示手段での画面表示において、前記取得手段により取得した各カメラの識別情報を一覧表示し、ユーザ操作に応じて同期撮影に参加させる複数のカメラを選択する選択手段と、
ユーザ操作に応じて前記無線通信手段により前記選択手段により選択された複数のカメラによる同期撮影の実行を指示する指示手段と、
を備えたことを特徴とする操作端末。
［付記１４］
前記同期撮影に参加する複数のカメラの中の１台が親機カメラ、他のカメラが子機カメラとなり、
前記表示手段での画面表示において、親機カメラと子機カメラとを識別して表示する、
ことを特徴とする付記１３に記載の操作端末。
［付記１５］
前記表示手段での画面表示において、前記複数のカメラの各々の識別情報であるプロフィール画像を、予め決められた複数のプロフィール画像の中から選択、または、任意に選択した撮影画像から作成して登録したプロフィール画像の中から選択可能に表示する、
ことを特徴とする付記１３または１４に記載の操作端末。
［付記１６］
前記表示手段での画面表示において、一覧表示されているプロフィール画像の選択により、選択されたプロフィール画像に対応するカメラのライブビュー画像を受信し、対応するプロフィール画像に代えて表示する、
ことを特徴とする付記１５に記載の操作端末。
［付記１７］
ユーザ操作に応じて、前記無線通信手段により、個々のカメラ、または同期撮影に参加する全てのカメラに一括して撮影条件を設定する、
ことを特徴とする付記１３乃至１６のいずれか１つに記載の操作端末。
［付記１８］
撮影操作を行う操作端末と、この操作端末からの指示に応じて同期した撮影を行う複数のカメラと、を備える同期撮影システムで実行される同期撮影方法あって、
前記複数のカメラが同期撮影に参加する複数のカメラの中の１台を親機カメラ、他のカメラを子機カメラと設定する設定ステップと、
前記親機カメラにおいて、同期撮影に参加する前記複数のカメラ間で撮影タイミングを同期させる制御を行う同期制御ステップと、
前記操作端末において、ユーザからの指示内容を複数のカメラに指示する制御を行う指示制御ステップと、
を含むことを特徴とする同期撮影方法。
［付記１９］
撮影操作を行う操作端末と、この操作端末からの指示に応じて同期した撮影を行う複数のカメラと、を備える同期撮影システムで実行される同期撮影システムを制御するコンピュータを、
前記複数のカメラが同期撮影に参加する複数のカメラの中の１台を親機カメラ、他のカメラを子機カメラと設定する設定機能と、
前記親機カメラにおいて、同期撮影に参加する前記複数のカメラ間で撮影タイミングを同期させる制御を行う同期制御機能と、
前記操作端末において、ユーザからの指示内容を複数のカメラに指示する制御を行う指示制御機能と、
として実行させることを特徴とするプログラム。
［付記２０］
撮影操作を行う操作端末と、この操作端末からの指示に応じて、同期した撮影を行う複数のカメラからなる同期撮影システムで実行され得る同期撮影方法であって、
撮影操作を行う前記操作端末と、この操作端末からの指示に応じて前記操作端末と前記複数のカメラとを含む任意の機器間で無線通信を行う場合に、同期撮影に参加する前記複数のカメラの中の１台が無線通信のアクセスポイントとなり、前記無線通信のアクセスポイントとなったカメラ以外の他のカメラと前記操作端末が無線通信のステーションとなるように設定する設定ステップと、
を含むことを特徴とする同期撮影方法。
［付記２１］
撮影操作を行う操作端末と、この操作端末からの指示に応じて、同期した撮影を行う複数のカメラからなる同期撮影システムを制御するコンピュータを、
撮影操作を行う前記操作端末と、この操作端末からの指示に応じて前記操作端末と前記複数のカメラとを含む任意の機器間で無線通信を行う場合に、同期撮影に参加する前記複数のカメラの中の１台が無線通信のアクセスポイントとなり、前記無線通信のアクセスポイントとなったカメラ以外の他のカメラと前記操作端末が無線通信のステーションとなるように設定する設定機能を実行させることを特徴とするプログラム。
【符号の説明】
【０１４４】
１・・・撮像制御装置，２・・・撮像装置，１１，３１・・・ＣＰＵ，１２，３２・・・ＲＯＭ，１３，３３・・・ＲＡＭ，１４，３４・・・バス，１５，３５・・・入出力インターフェース，１６，３６・・・撮像部，１７，３７・・・センサ部，１８，３８・・・入力部，１９，３９・・・出力部，２０，４０・・・記録部，２１，４１・・・通信部，２２，４２・・・ドライブ，３１，５１・・・リムーバブルメディア，７１・・・無線通信設定処理部，７２・・・カメラ選択処理部，７３・・・撮影条件設定処理部，７４・・・同期通信開始処理部，７５・・・空シャッタ処理部，７６・・・本シャッタ処理部，７６，７７・・・撮影後処理部，７８・・・画像表示処理部，９１・・・プロファイル設定処理部，９２・・・無線通信設定処理部，９３・・・撮影条件設定処理部，９４・・・同期通信開始処理部，９５・・・空シャッタ処理部，９６・・・本シャッタ処理部，１００・・・撮像制御システム
【図１】
2016066898.tif 000003
【図２】
2016066898.tif 000004
【図３】
2016066898.tif 000005
【図４】
2016066898.tif 000006
【図５】
2016066898.tif 000007
【図６】
2016066898.tif 000008
【図７】
2016066898.tif 000009
【図８】
2016066898.tif 000010
【図９】
2016066898.tif 000011
【図１０】
2016066898.tif 000012
【図１１】
2016066898.tif 000013
【図１２】
2016066898.tif 000014
【図１３】
2016066898.tif 000015
【図１４】
2016066898.tif 000016
【図１５】
2016066898.tif 000017
【図１６】
2016066898.tif 000018
【図１７】
2016066898.tif 000019
【図１８】
2016066898.tif 000020
【図１９】
2016066898.tif 000021